(57)【特許請求の範囲】
【請求項１】
圧縮機と、蒸発器と、凝縮器と、送風機と、これらを収納する外装ケースとを備えたヒートポンプ式熱源機において、
前記外装ケースは底板部と側板部と天板部とを有し、
前記底板部は下端開放状の凹入部が形成された箱形部を有し、
前記箱形部内の凹入部に、前記凝縮器を複数の保温材分割体で覆った状態にして配置したことを特徴とするヒートポンプ式熱源機。
【請求項２】
前記凹入部の上壁部に開口部を設け、
前記凝縮器の接続配管は、前記の開口部から上方へ延びて内部配管に接続されることを特徴とする請求項１に記載のヒートポンプ式熱源機。
【請求項３】
前記凹入部の上壁部には、前記送風機を支持する支持板を固定する為の固定部材が設けられたことを特徴とする請求項１又は２に記載のヒートポンプ式熱源機。
【請求項４】
前記凹入部の下側に、前記凝縮器の下面側を覆う下カバーを設け、
前記ヒートポンプ式熱源機が据え付けられた状態では、前記下カバーと前記底板部との間の少なくとも一部に隙間が形成されたことを特徴とする請求項１〜３の何れか１項に記載のヒートポンプ式熱源機。
【請求項５】
前記下カバーの下面に１又は複数の支持脚が設けられ、
前記下カバーは前記底板部とは独立に前記支持脚を介して据え付け面に支持されることを特徴とする請求項４に記載のヒートポンプ式熱源機。
【発明の詳細な説明】
【技術分野】
【０００１】
本発明は、ヒートポンプ式熱源機に関し、特に、圧縮機と、蒸発器と、凝縮器と、送風機を収納する外装ケースの構造を改良したものである。
【背景技術】
【０００２】
近年、貯湯式給湯装置として、貯湯式のヒートポンプ式給湯装置が実用に供されている。この給湯装置は、温水を貯留する大容量の貯湯タンクと、ヒートポンプ回路を有するヒートポンプ式熱源機を備え、夜間割引の安価な電力を利用して、ヒートポンプ式熱源機で水道水を温水に加熱して、その温水を貯湯タンクに貯留しておき、蛇口や風呂などの所望の給湯先に給湯するものである。ヒートポンプ式熱源機は、大気に含まれる熱エネルギーを利用して水道水を加熱しているので、燃焼式熱源機や電気ヒータ式熱源機よりもエネルギー効率が良く、給湯コストの低減を図ることができる。
【０００３】
ところで、図６に示すように、従来のヒートポンプ式熱源機１００は、圧縮機１０１と、蒸発器１０２と、凝縮器としての温水加熱用熱交換器１０３と、送風機１０６と、これらを収納する外装ケース１０４などを備えている。外装ケース１０４は、薄鋼板製の底板部と側板部と天板部とを有し、底板部に、前記の各種機器が配置されている。
【０００４】
外装ケース１０４内において、温水加熱用熱交換器１０３は、発泡断熱材（図示略）で覆われ、発泡断熱材の周囲が保護カバー１０５で覆われている。この保護カバー１０５は、凝縮器１０３の作動時における振動音を抑制する為に設けられ、底板部にビスで締結固定されている。従来のヒートポンプ式熱源機１００では、温水加熱用熱交換器１０３の運転停止状態のとき、温水加熱用熱交換器１０３に冷媒が滞留される構造になっている。尚、特許文献１のヒートポンプ式熱源装置も、外装ケース内において凝縮器が発泡断熱容器に収納され、その発泡断熱容器の周囲が保護カバーで覆われている。
【先行技術文献】
【特許文献】
【０００５】
【特許文献１】特許第３９３１８７８号公報
【発明の概要】
【発明が解決しようとする課題】
【０００６】
従来のヒートポンプ式熱源機においては、保護カバーが外装ケースの底板部とは別体に設けられているので、凝縮器の運転停止状態のとき、凝縮器に滞留された冷媒が凝縮器から漏洩する虞があり、特に、可燃性の冷媒を使用した場合、それが気化した可燃性の冷媒ガスが保護カバーと外装ケースの底板部の隙間から外装ケース内へ漏洩した場合の安全性が懸念される。
【０００７】
しかも、ヒートポンプ式熱源機を分解して凝縮器を分別廃棄する場合に、外装ケースから凝縮器を取り外す際に、外装ケースと、送風機と、凝縮器の接続管と接続される内部配管と、保護カバーを取り外す必要があるので、凝縮器の取り外し作業が面倒である。
更に、保護カバーは、外装ケースの底板部にビスで締結固定されているだけなので、保護カバーを容易に取り外すことができるため、上部からのいたずら等による凝縮器の損傷を防止することが困難である。
【０００８】
本発明の目的は、凝縮器に滞留された冷媒の外装ケース内への漏洩を防止可能なヒートポンプ式熱源機を提供すること、凝縮器を分別廃棄する場合に、外装ケースから凝縮器を容易に取り外すことができるヒートポンプ式熱源機を提供すること、いたずら等による凝縮器の損傷を防止できるヒートポンプ式熱源機を提供することである。
【課題を解決するための手段】
【０００９】
請求項１のヒートポンプ式熱源機は、圧縮機と、蒸発器と、凝縮器と、送風機と、これらを収納する外装ケースとを備えたヒートポンプ式熱源機において、前記外装ケースは底板部と側板部と天板部とを有し、前記底板部は下端開放状の凹入部が形成された箱形部を有し、前記箱形部内の凹入部に、前記凝縮器を複数の保温材分割体で覆った状態にして配置したことを特徴としている。
【００１０】
請求項２のヒートポンプ式熱源機は、請求項１の発明において、前記凹入部の上壁部に開口部を設け、前記凝縮器の接続配管は、前記の開口部から上方へ延びて内部配管に接続されることを特徴としている。
【００１１】
請求項３のヒートポンプ式熱源機は、請求項１又は２の発明において、前記凹入部の上壁部には、前記送風機を支持する支持板を固定する為の固定部材が設けられたことを特徴としている。
【００１２】
請求項４のヒートポンプ式熱源機は、請求項１〜３の発明の何れか１項において、前記凹入部の下側に、前記凝縮器の下面側を覆う下カバーを設け、前記ヒートポンプ式熱源機が据え付けられた状態では、前記下カバーと前記底板部との間の少なくとも一部に隙間が形成されたことを特徴としている。
【００１３】
請求項５のヒートポンプ式熱源機は、請求項４の発明において、前記下カバーの下面に１又は複数の支持脚が設けられ、前記下カバーは前記底板部とは独立に前記支持脚を介して据え付け面に支持されることを特徴としている。
【発明の効果】
【００１４】
請求項１の発明によれば、外装ケースは底板部と側板部と天板部とを有し、底板部は下端開放状の凹入部が形成された箱形部を有し、前記箱形部内の凹入部に、前記凝縮器を複数の保温材分割体で覆った状態にして配置したので、凝縮器の運転停止状態のとき、凝縮器に滞留された冷媒が凝縮器から漏洩したとしても、それが気化した冷媒ガスが底板部の下側（地面側）へ流れるため、ケース内に冷媒ガスが滞留することを確実に防止すること
【００１５】
また、ヒートポンプ式熱源機を分解して凝縮器を分別廃棄する場合、箱形部の凹入部の下側から複数の保温材分割体と共に凝縮器だけを取り外すことができるので、凝縮器を分別廃棄する際の外装ケースからの凝縮器の取り外し作業を容易に行うことができる。
更に、凹入部に凝縮器を配置したので、上部から凝縮器に容易にアクセスすることができないため、上部からのいたずら等による凝縮器の損傷を確実に防止することができる。
【００１６】
請求項２の発明によれば、底板部の上壁部に凹入部に連通した開口部を設け、凝縮器の接続配管は、前記の開口部から上方へ延びて内部配管に接続されるので、空気よりも重い冷媒ガスが開口部から外装ケース内へ漏洩するのを防止することができる。
【００１７】
請求項３の発明によれば、凹入部の上壁部には、送風機を支持する支持板を固定する為の固定部材が設けられたので、送風機の取り付け位置を低くして、外装ケースの小型化を図ることができる。また、底板部に一体化された強度のある箱形部の凹入部の上壁部に固定部材が設けられたので、固定部材により送風機を安定した状態で支持板を介して固定することができると共に、送風機の運転時の振動を抑制することができる。
【００１８】
請求項４の発明によれば、凹入部の下側に、凝縮器の下面側を覆う下カバーを設け、ヒートポンプ式熱源機が据え付けられた状態では、下カバーと底板部との間の少なくとも一部に隙間が形成されたので、凝縮器に滞留された冷媒が漏洩したとしても、それが気化した冷媒ガスがその隙間から底板部の下側へ流れるため、冷媒ガスが外装ケース内へ漏洩するのを確実に防止することができる。
【００１９】
請求項５の発明によれば、下カバーの下面に１又は複数の支持脚が設けられたので、下カバーは底板部とは独立に支持脚を介して据え付け面に支持されるので、凝縮器を安定した状態で凹入部に配置することができる。また、凝縮器運転時における振動を抑制することができると共に、底板部への振動伝達を抑制することができる。
【図面の簡単な説明】
【００２０】
【図１】貯湯式給湯装置の概略構成図である。
【図２】ヒートポンプ式熱源機の要部を示す斜視図である。
【図３】凝縮器とその周辺構造を示す分解斜視図である。
【図４】凝縮器とその周辺構造の縦断面図である。
【図５】実施例２の凝縮器とその周辺構造の分解斜視図である。
【図６】従来のヒートポンプ式熱源機の各種機器の配置を示した斜視図である。
【発明を実施するための形態】
【００２１】
以下、本発明を実施するための形態について実施例に基づいて説明する。
【実施例１】
【００２２】
図１に示すように、貯湯式ヒートポンプ式給湯装置１は、貯湯タンクユニット２と、ヒートポンプ式熱源機３と、配管類６，７，８，９ａ，９ｂ，１０と、主制御部１１などを有する。
【００２３】
図１、図２に示すように、貯湯タンクユニット２は、縦長筒状の外周面を有する貯湯タンク１２と、この貯湯タンク１２の外面側を覆う保温材１３と、貯湯タンク１２と保温材１３を収容可能な外装ケース１４とを備えている。貯湯タンク１２は、ヒートポンプ式熱源機３で加熱された高温の温水を貯留するものであり、耐腐食性に優れたステンレス製の板材で構成され、半球状に形成された上下１対のタンク上部及びタンク下部と、縦長の円筒状のタンク胴部とが溶接により一体化されている。
【００２４】
タンク１２の下端部には、水道管などの給水管７と温水循環用配管９ａに接続される下部配管８が接続されている。給水管７には、貯湯タンク１２へ水道水を補充する為の開閉弁１５が設けられており、開閉弁１５が開いて水道水を貯湯タンク１２内に補充するようになっている。その貯湯タンク１２から液送ポンプ１６を介して温水（貯留水）が下部配管８、温水循環用配管９ａを通りヒートポンプ式熱源機３に送られる。ヒートポンプ式熱源機３で加熱された温水は温水循環用配管９ｂへ流れる。
【００２５】
タンク１２の上端部には、温水循環用配管９ｂと出湯用配管６に接続される上部配管１０が接続されている。上部配管１０には開閉弁１７が設けられている。開閉弁１５, １７を開くと、貯湯タンク１２内に貯留された高温の温水（例えば、８０〜９０℃）を上部配管１０に供給することができる。
【００２６】
保温材１３は、例えば、発泡ポリプロピレン、発泡ポリスチレン等の樹脂を発泡成形した発泡断熱材で構成され、貯湯タンク１２の外面側を覆って貯湯タンク１２に貯留された温水の温度低下を防ぐ断熱機能を有する。
【００２７】
保温材１３には、タンク軸方向に複数の収容凹部が所定間隔おきに形成されている。これら複数の収容凹部には、複数の温度センサ３１〜３４が高さ方向所定間隔おきの位置に配置されている。温度センサ３１〜３４は主制御部１１に接続されており、温度センサ３１〜３４の温度検出信号が主制御部１１に供給される。
【００２８】
外装ケース１４は、薄鋼板製で貯湯タンク１２の軸心方向に所定の長さを有する断面矩形の直方体の箱状に形成され、４つの側板部（つまり、左右の側板部、前後の側板部）と、上面板（天板）と、下面板とから構成されている。
【００２９】
ヒートポンプ式熱源機３は、炭化水素系などの冷媒の循環流通経路上に、蒸発器としての空気熱交換器１８と、送風モータ１９ａで駆動される送風機１９と、圧縮機２０と、凝縮器としての温水加熱用熱交換器２１と、高圧の冷媒を急膨張させて圧力を下げる膨張弁２２とが順次接続されたヒートポンプ回路２３と、主制御部１１に接続された補助制御部２４と、これらを収納する外装ケース２５とを備えている。
【００３０】
ヒートポンプ式熱源機３において、圧縮機２０を駆動することにより高圧まで圧縮された加熱状態の冷媒は、温水加熱用熱交換器２１に送られ、液送ポンプ１６の駆動によりタンク１２の下端部から下部配管８を経て温水循環用配管９ａに流入した温水又は水と熱交換してその温水又は水を暖め、加熱された温水が温水循環用配管９ｂ、上部配管１０を通って貯湯タンクユニット２の貯湯タンク１２に貯留され、ヒートポンプ式熱源機３を経由する加熱動作を繰り返すことで貯湯タンク１２に高温の温水が貯留される。
【００３１】
補助制御部２４は、主制御部１１との間でデータ通信可能であり、主制御部１１からの指令に従ってヒートポンプ回路２３の各種機器（送風モータ１９ａ、圧縮機２０など）の動作制御を実行する。温水加熱用熱交換器２１の出口側部分において、温水循環用配管９ｂには、温水温度を検知するための温度センサ２６が設けられ、その検出信号が主制御部１１に供給されている。補助制御部２４は、温水の加熱温度が主制御部１１から指示された温度となるまで、ヒートポンプ式熱源機３を作動させる。
【００３２】
ユーザによる給湯操作が行われると、貯湯タンク１２に貯留された温水が出湯用配管６に流れ、その温水と給水管７から供給される水道水とが混合弁２７で混合され、所定の温度となって蛇口などの給湯栓４に給湯される。混合弁２７の上流部、下流部、給水管７の途中部には、夫々、温水温度又は入水温度を検知するための温度センサ２８〜３０が設けられ、これら温度センサ２８〜３０の検出信号が主制御部１１に供給されている。主制御部１１は、これら温度センサ２８〜３０で検知された温度検知データに基づいて、混合弁２７を制御して温水と水の混合比を調節することで給湯する温水の温度を調整する。
【００３３】
主制御部１１は、ユーザが操作可能な操作リモコン３５との間でデータ通信可能であり、ユーザによる操作リモコン３５のスイッチ操作により目標給湯温度が設定されると、その目標給湯温度データが操作リモコン３５から主制御部１１に送信される。主制御部１１は、給湯動作時には、目標給湯温度データ及び温度センサ３１〜３４からの温度検知データに基づいて、ヒートポンプ式熱源機３で温水を加熱する加熱温度を決定し、補助制御部２４にその加熱温度を指示する。
【００３４】
次に、本願特有の外装ケース２５の構造について説明する。
外装ケース２５は、薄鋼板製で縦長の断面矩形の直方体の箱状に形成され、左右１対の側板部３６と、前側板部３７と、後側板部３８と、上板部（天板部）４０と、底板部４１とで構成されている。
【００３５】
図２〜図４に示すように、底板部４１は、下端開放状の凹入部４２が形成された平面視横長矩形の箱形部４１ａと、底壁部４１ｂとを備え、これら箱形部４１ａと底壁部４１ｂとがプレス成形により一体品に構成されている。箱形部４１ａは、上壁部４３と、上壁部４３の前後両端から略直角に下方に屈曲され所定長さ延びる前壁部４４及び後壁部（図示略）と、上壁部４３の左右両端から略直角に下方に屈曲され所定長さ延びる左右１対の側壁部４５とを備えている。
【００３６】
底壁部４１ｂは、箱形部４１ａの壁部４４，４５の下端に連なり、凹入部４２の開口部４２ａの外周側にフランジ状に形成されている。尚、上壁部４３と４つの壁部４４，４５とをプレス成形にて一体成形したものを底壁部４１ｂの上面に溶接して形成してもよい。
【００３７】
底板部４１において、凹入部４２は、横長矩形状の開口部４２ａから上方へ向かって所定の深さを有し、この凹入部４２には、温水加熱用熱交換器２１と、温水加熱用熱交換器２１を覆う保温材４７とが収容されている。凹入部４２は、温水加熱用熱交換器２１の運転時における振動音を抑制する保護カバーとしての機能も有する。
【００３８】
保温材４７は、上下に２分割された１対の分割体４７ａ，４７ｂで構成され、それらの内部には、温水加熱用熱交換器２１を収容する収容凹部が形成されている。保温材４７は、例えば、発泡ポリプロピレン、発泡ポリスチレン等の樹脂を発泡成形した発泡断熱材で構成されている。
【００３９】
上壁部４３には、前記凹入部４２に連通した開口部４３ａが設けられている。温水加熱用熱交換器２１の複数の接続配管２１ａは、前記の開口部４３ａから上方へ延びて、圧縮機２０と接続する冷媒循環用配管２３ａ（内部配管）に接続されている。底板部４１の右側の底壁部４１ｂの上には、圧縮機２０等が配置されている。
【００４０】
底板部４１の上壁部４３には、送風機１９を支持する支持板４８を固定する為の固定部材４９がビスで固定されている。支持板４８は、上下方向に所定の長さを有する本体板部４８ａと、本体板部４８ａの上端部から直角に後方に屈曲された上板部４８ｂと、本体板部４８ａの下端部から直角に前方に屈曲された底板部４８ｃとを備えている。
【００４１】
送風機１９は、送風モータ１９ａを介して支持板４８の本体板部４８ａの中段部分に取り付けられ、上板部４８ｂが外装ケース２５の後側板部３８の上端部に固定され、底板部４８ｃが前記の固定部材４９に固定されている。送風機１９の背面と左側面に亙る平面視にてＬ形の空気熱交換器１８が底壁部４１ｂの上に装備されている。
【００４２】
底壁部４１ｂの下面の左右両端部分には、前後方向に所定の長さを有する左右１対の金属製の支持脚４９ａ，４９ｂがビスで固定されている。これら１対の支持脚４９ａ，４９ｂを所定のコンクリート製の設置台５１の据え付け面５１ａに設置することにより、ヒートポンプ式熱源機３が設置台５１の据え付け面５１ａに据え付けられる。
【００４３】
底板部４１の凹入部４２の下側には、保温材４７を介して温水加熱用熱交換器２１の下面側の大部分を覆う薄鋼板製の下カバー５０が設けられている。この下カバー５０は横長矩形の平板状に形成されている。下カバー５０の左右方向の長さは、凹入部４２の左右長よりも僅かに小さく設定されている。下カバー５０の前後方向の長さは  凹入部４２の前後長よりも大きく設定されている。下カバー５０の前端部と後端部は、底壁部４１ｂの開口部４２ａの前側及び後側周縁近傍部に形成された複数のビス孔に複数のビスで固定されている。温水加熱用熱交換器２１は、保温材４７を介して下カバー５０の上に載置されている。
【００４４】
図４に示すように、ヒートポンプ式熱源機３を設置台５１の据え付け面５１ａに据え付けた状態において、底壁部４１ｂに固定された下カバー５０の左右両端部と底壁部４１ｂとの間に僅かな隙間５２が形成され、温水加熱用熱交換器２１が運転停止状態のとき、温水加熱用熱交換器２１に滞留された炭化水素系の冷媒が温水加熱用熱交換器２１から漏洩して気化したとしても、その冷媒ガスが上記の隙間５２から地面側へ流れるように構成されている。そのため、外装ケース２５内に冷媒ガスが流入して滞留することがない。
【００４５】
以上説明したヒートポンプ式熱源機３の作用効果について説明する。
貯湯式ヒートポンプ式給湯装置１においては、夜間割引の安価な電力を利用して、ヒートポンプ式熱源機３の各種機器（送風モータ１９ａ、圧縮機２０など）を駆動して、ヒートポンプ式熱源機３で一日に必要な量の温水を作り、その蓄熱した高温の温水を貯湯タンク１２に貯留しておき、出湯する際、高温の温水と水道水とを混合して、ユーザの欲する所望の温度にして、蛇口や風呂などの給湯先に給湯する。
【００４６】
外装ケース２５は底板部４１と４つの側板部３６〜３８と天板部４０とを有し、底板部４１は下端開放状の凹入部４２が形成された箱形部４１ａを有し、この凹入部４２に温水加熱用熱交換器２１と保温材４７を配置したので、温水加熱用熱交換器２１の運転停止状態のとき、温水加熱用熱交換器２１に滞留された可燃性の炭化水素系の冷媒が温水加熱用熱２１から漏洩して気化したとしても、その冷媒ガスが底板部４１の凹入部４２の下端の左右の隙間５２から地面側に流れるため、冷媒ガスが外装ケース２５内に流入して滞留することがない。
【００４７】
また、ヒートポンプ式熱源機３を分解して温水加熱用熱交換器２１を分別廃棄する場合、凹入部４２の下側から温水加熱用熱交換器２１だけを取り外すことができるため、温水加熱用熱交換器２１を分別廃棄する為の外装ケース２５からの温水加熱用熱交換器２１の取り外し作業を容易に行うことができる。
【００４８】
更に、凹入部４２に温水加熱用熱交換器２１と保温材４７を配置したので、上部から温水加熱用熱交換器２１に容易にアクセスすることができないため、上部からのいたずら等による温水加熱用熱交換器２１の損傷を確実に防止することができる。
【００４９】
底板部４１の上壁部４３に開口部４３ａを設け、温水加熱用熱交換器２１の接続配管２１ａは、前記の開口部４３ａから上方へ延びて冷媒循環用配管２３ａに接続されたので、空気よりも重い冷媒ガスが開口部４３ａから外装ケース２５内へ漏出するのを確実に防止することができる。
【００５０】
凹入部４２の上壁部４３には、送風機１９を支持する支持板４８を固定する為の固定部材４９が設けられたので、送風機１９の取り付け位置を低くして、外装ケース２５の小型化を図ることができる。また、底板部４１に一体化された強度のある箱形部４１ａの凹入部４２の上壁部４３に固定部材４９が設けられたので、固定部材４９により送風機１９を安定した状態で支持板４８を介して固定することができると共に、送風機１９の運転時の振動を抑制することができる。
【００５１】
凹入部４２の下側に、温水加熱用熱交換器２１の下面側を覆う下カバー５０を設け、ヒートポンプ式熱源機３を据え付けた状態では、下カバー５０と底板部４１との間に隙間５２が形成されているので、温水加熱用熱交換器２１から冷媒が漏洩して気化したとしても、その冷媒ガスが上記の隙間５２から地面側へ流れるため、冷媒ガスが外装ケース２５内へ漏出して滞留するのを確実に防止することができる。
【実施例２】
【００５２】
次に、上記のヒートポンプ式熱源機３を部分的に変更した実施例２について説明するが、実施例１と同様の構成要素には同様の参照符号を付して説明を省略し、異なる構成要素について説明する。
【００５３】
図５に示すように、ヒートポンプ式熱源機３Ａの下カバー５０Ａは、実施例１の下カバー５０と同サイズ同形状のものであり、その下面の左右両端寄り部分には、前後方向に所定の長さを有する左右１対の支持脚５３ａ，５３ｂが設けられている。下カバー５０Ａは、底板部４１とは別個独立に１対の支持脚５３ａ，５３ｂを介して設置台５１の据え付け面５１ａに支持されている。
【００５４】
これら１対の支持脚５３ａ，５３ｂは、支持脚４９ａ，４９ｂと同サイズ同形状に形成されている。下カバー５０Ａの下面に複数の支持脚５３ａ，５３ｂを設け、下カバー５０Ａは底板部４１とは独立に支持脚５３ａ，５３ｂを介して据え付け面５１ａに支持されるので、温水加熱用熱交換器２１と保温材４７を安定させた状態で凹入部４２に配置することができる。また、温水加熱用熱交換器２１の運転時における振動を抑制することができると共に、底板部４１への振動伝達を抑制することができる。尚、下カバー５０Ａの長手方向向きに１又は複数の支持脚を設けてもよい。
【００５５】
尚、前記実施例を次のように部分的に変更してもよい。
（１）前記底板部４１における、箱形部４１ａと底壁部４１ｂを一体的にプレス成形する代わりに、前記箱形部４１ａと底壁部４１ｂを一体的に樹脂成形してもよい。
（２）下カバーで凹入部４２の開口部４２ａを密閉する状態に形成して底壁部４１ｂに固定し、その下カバーに凹入部４２と連通する１又は複数の開口穴を設けてもよい。
【００５６】
（３）その他、本発明の趣旨を逸脱しない範囲において、前記の実施例に種々の変更を付加して実施可能である。
【符号の説明】
【００５７】
３、３Ａ    ヒートポンプ式熱源機
１８        空気熱交換器（蒸発器）
１９        送風機
２０        圧縮機
２１        温水加熱用熱交換器（凝縮器）
２１ａ      接続配管
２３ａ      冷媒循環用配管（内部配管）
２５        外装ケース
３６        側板部
３７        前側板部
３８        後側板部
４０        天板部
４１        底板部
４１ａ      箱形部
４２        凹入部
４３        上壁部
４３ａ      開口部
４８        支持板
４９        固定部材
５０、５０Ａ  下カバー
５１ａ      据え付け面
５２        隙間
５３ａ、５３ｂ  支持脚
【図１】
0005720237.tif 000002
【図２】
0005720237.tif 000003
【図３】
0005720237.tif 000004
【図４】
0005720237.tif 000005
【図５】
0005720237.tif 000006
【図６】
0005720237.tif 000007